(57)【特許請求の範囲】
【請求項１】
箱状に形成されたもので、その一側には粉砕された遺骨の供給口が形成され、下部には排出口が形成され、上部両側には別途の空気除湿装置によって湿気が除去された空気を循環させるためのダクトが連結されたハウジング；
前記ダクトと供給口の間に設置され、前記湿気の除去された空気を下部に循環させるとともに粉砕された遺骨の損失を防ぐためのフィルター；
前記供給口と排出口の間に軸支され、その外面には流入した遺骨を交ぜるためのブレードが放射状に等間隔で形成されたローター；
前記ハウジングの外部で前記ローターの端部に連結され、これを回転させるためのモーター；及び
前記排出口の下側に設置され、粉砕された遺骨の排出を開閉するための開閉板；を含んでなることを特徴とする、遺骨除湿装置。
【請求項２】
前記ハウジングの上端には、フィルターを入れ替えるための開閉ドアが設けられることを特徴とする、請求項１に記載の遺骨除湿装置。
【請求項３】
前記ローターのブレードは、その端部が軸方向に折り曲げられた“Ｌ”字形に形成されることを特徴とする、請求項１に記載の遺骨除湿装置。
【請求項４】
前記ハウジングの両側には、前記開閉板を前後に作動させるためのエアユニットが設けられることを特徴とする、請求項１に記載の遺骨除湿装置。
【発明の詳細な説明】
【技術分野】
【０００１】
本発明は遺骨に含まれた湿気を除去するための除湿装置に係り、より詳しくは火葬場から粉砕状態で供給される遺骨に、別途の空気除湿装置から湿気の除去された乾燥風を供給することで、遺骨に含まれた湿気を除去するための遺骨除湿装置に関するものである。
【背景技術】
【０００２】
一般に、死体を火葬した後には、その遺骨を単純に細かく粉砕（粉骨）した後、納骨容器に入れて納骨堂または納骨墓に保管することになる。
【０００３】
この際、前記遺骨を入れた納骨容器は通常に密封状態で提供されるが、事実上納骨容器の内部の遺骨が容易に腐敗することが見られる。すなわち、遺骨を納骨容器に密封する過程で湿気に露出し、これによって腐敗が起こるものである。
【０００４】
また、遺骨に湿気が残っている状態で密封される場合には、内部に流入した空気が遺骨と接触して酸化する過程で細菌やうじが発生しながら腐敗を一層促進することになる。
【０００５】
結局、このような原因で、どのくらい時間が経った納骨堂または納骨墓では、腐敗による悪臭が発生して嫌悪施設と認識されていることが現実である。
【発明の開示】
【発明が解決しようとする課題】
【０００６】
したがって、本発明は、火葬場から粉砕状態で供給される遺骨に別途の空気除湿装置から湿気の除去された乾燥風を供給して、遺骨に含まれた湿気を除去する遺骨除湿装置を提供することにその目的がある。
【０００７】
また、本発明は、遺骨を除湿する過程で異物が侵透することを防止して、遺骨の損失を防止する遺骨除湿装置を提供することに他の目的がある。
【課題を解決するための手段】
【０００８】
前記目的を達成するために、本発明の遺骨除湿装置は、箱状に形成されたもので、その一側には粉砕された遺骨の供給口が形成され、下部には排出口が形成され、上部両側には別途の空気除湿装置によって湿気の除去された空気を循環させるためのダクトが連結されたハウジング；前記ダクトと供給口の間に設置され、前記湿気の除去された空気を下側に循環させるとともに粉砕された遺骨の損失を防ぐためのフィルター；前記供給口と排出口の間に軸支され、その外面には流入した遺骨を交ぜるためのブレードが放射状に等間隔で形成されたローター；前記ハウジングの外部で前記ローターの端部に連結され、これを回転させるためのモーター；及び前記排出口の下側に設置され、粉砕された遺骨の排出を開閉するための開閉板；を含んでなる。
【０００９】
前記ハウジングの上端には、フィルターを入れ替えるための開閉ドアを含むことができる。
【００１０】
前記ローターのブレードは、その端部が軸方向に折り曲げられた“Ｌ”字形に形成できる。
【００１１】
前記ハウジングの両側には、前記開閉板を前後に作動させるためのエアユニットが設けられることができる。
【発明の効果】
【００１２】
本発明の遺骨除湿装置によれば、火葬場から粉砕状態で供給される遺骨に別途の空気除湿装置から湿気の除去された乾燥風を供給し、遺骨に含まれた湿気を除去して腐敗を防止することにより、腐敗や害虫の発生なしに乾燥した状態の遺骨を安全に保存することができる非常に有用な効果が発揮される。
【発明を実施するための最良の形態】
【００１３】
以下、本発明の好適な実施例を添付図面に基づいて詳細に説明する。
【００１４】
図１は本発明が適用された遺骨除湿装置を示す構成図、図２は本発明が適用された遺骨除湿装置を示す斜視図、図３は本発明が適用された遺骨除湿装置を示す側断面図である。
【００１５】
本発明の遺骨除湿装置は、図１〜図３に示すように、大別して、粉砕された遺骨を収容するためのハウジング１００、乾燥した空気を循環させるとともに粉砕された遺骨の損失を防止するためのフィルター２００、ハウジングの内部で粉砕された遺骨を交ぜながら粉砕させるためのローター３００、前記ローターを回転させるためのモーター４００、及び前記除湿された遺骨を排出するための開閉板５００を含んでなることに特徴がある。
【００１６】
ここで、前記ハウジング１００は四角箱状に形成されたもので、その一側には粉砕された遺骨が流入するように供給口１２０が形成され、下部には前記流入した遺骨を排出するための排出口１４０が形成され、上部両側には別途の空気除湿装置１０によって湿気が除去された空気を循環させるためのダクト１６０が連結される。また、前記ハウジング１００の上端には、後述するフィルター２００を入れ替えるための開閉ドア１８０を形成することができる。この場合、前記開閉ドア１８０はハウジング１００から空気が漏出しないように緊密に開閉されるようにする。
【００１７】
したがって、前記ハウジング１００は、その内部で粉砕された遺骨の流入と排出が行われるとともに、湿気の除去された乾燥空気が浄化されるようにする。
【００１８】
さらに、前記空気除湿装置１０はハニカムローター方式のもので、空気中の湿度が２０％を超えない乾燥空気を供給するものである。
【００１９】
前記フィルター２００は、前記ハウジング１００のダクト１６０と供給口１２０の間に設置され、前記湿気の除去された空気をハウジング１００の下部に循環させるとともに、粉砕された遺骨の損失は防ぐように形成される。また、前記フィルター２００をハウジング１００の内部に固定設置するために、図３に示すように、ハウジング１００の内部の両側対向面上に定着段を形成することが好ましい。この際、前記フィルター２００は定着段上にボルトを利用して結合固定することができる。
【００２０】
前記ローター３００は前記ハウジング１００の供給口１２０と排出口１４０の間に軸支され、その外面には流入した遺骨を交ぜるためのブレード３２０が放射状に等間隔で形成される。すなわち、前記ローター３００は、ハウジング１００を貫通して結合された状態で、そのブレード３２０で流入した遺骨をゆっくり覆すことで、前記ダクト１６０を介して流入した乾燥空気と接触して迅速に乾燥できるようにするものである。この際、前記ローター３００のブレード３２０は、その端部が軸方向に折り曲げられた“Ｌ”字形に形成される。すなわち、前記折り曲げられた端部が回転しながらハウジング１００の内部に流入した遺骨をすくい上げて覆す作用をするものである。
【００２１】
前記モーター４００は、前記ハウジング１００の外部で前記ローター３００の一側端部に連結され、前記ローター３００を回転させるように形成される。このようなモーター４００は減速器を介してローター３００の回転軸に連結されて、低速回転が可能になる。
【００２２】
前記開閉板５００は、前記ハウジング１００の排出口１４０の下部に設置され、粉砕された遺骨の排出を開閉するようにする。この場合、前記ハウジング１００の両側には、前記開閉板５００を前後に作動させるためのエアユニット５２０が設置される。
【００２３】
したがって、このような本発明の遺骨除湿装置によれば、火葬場から粉砕状態で供給される遺骨に別途の空気除湿装置１０から湿気の除去された乾燥風を供給して、遺骨に含まれた湿気を除去することで、遺骨の腐敗を防止し、害虫の発生なしに長期間にわたって安全に保存することができるものである。
【００２４】
以上説明したように、本発明は図面に示した実施例に基づいて説明したが、これは例示のためのものに過ぎなく、当該技術分野で通常の知識を持った者であれば、これから多様な変形及び均等の実施例が可能であることが理解可能であろう。したがって、本発明の真正な技術的保護範囲は請求範囲の技術的思想によって決められなければならない。
【産業上の利用可能性】
【００２５】
本発明は、遺骨に含まれた湿気を除去する除湿装置に適用可能である。
【図面の簡単な説明】
【００２６】
【図１】本発明が適用された遺骨除湿装置を示す構成図である。
【図２】本発明が適用された遺骨除湿装置を示す斜視図である。
【図３】本発明が適用された遺骨除湿装置を示す側断面図である。
【符号の説明】
【００２７】
１０      空気除湿装置
１００    ハウジング
１２０    供給口
１４０    排出口
１６０    ダクト
１８０    開閉ドア
２００    フィルター
３００    ローター
３２０    ブレード
４００    モーター
５００    開閉板
５２０    エアユニット
【図１】
0004797202.tif 000002
【図２】
0004797202.tif 000003
【図３】
0004797202.tif 000004